(57)【要約】      （修正有）【課題】係止ブロック及び係合歯を即時迅速に相互に係止させることが可能で、開閉及び確実な定位を容易に確認できる園芸用水道ホース継手の構成を提供する。【解決手段】園芸用水道ホース継手は、保持部材１０１を有する本体１０の一端にロックスリーブ２０がロックされ、他端には弾性部材３０及び係合歯４３を有するスリーブ４０が覆設され、スリーブ及び弾性部材が弾力で支持し合う状態で本体に装設される。スリーブは本体に沿ってスムーズに往復回転を行うことにより開閉を制御する。本体には止めリブ１３が設置され、スリーブの係合歯が弾性部材の弾性推力を受けて止めリブに当接され、止めリブの下方には１つ以上の係止ブロック１４が設置されて何れか１つの係合歯の一側に位置する。係止ブロックが係合歯の一側から他側まで回転を行うと、係合歯は弾性部材の弾力を受けて止めリブに衝突し、同期で確実な定位効果を発生させる。【選択図】図１
0003216484.tif 000002
【実用新案登録請求の範囲】
【請求項１】
保持部材を有する本体の一端に弾性部材及び係合歯を有するスリーブが覆設され、前記弾性部材は本体とスリーブとの間に装設されると共に相互に弾力で支持し合っての定位が形成され、前記スリーブは本体に沿って往復回転を行い、弾性部材が圧下されることにより水道ホース継手の開閉が制御され、本体の保持部材がスリーブに従って弾性部材を圧下させるか弾性部材の弾性による当接を受けて解放または咬合を達成させることによりスプレーガンまたはスプリンクラー等の水道装置に連結されるか、或いは前記水道装置から脱離される園芸用水道ホース継手の構成であって、
本体には止めリブが設置され、
スリーブの係合歯が弾性部材による弾性推力を受けると本体の止めリブに当接され、
止めリブの下方には１つまたは１つ以上の係止ブロックが設置されて何れか１つのスリーブの係合歯の一側に位置し、
前記係合歯の幅はスリーブの開閉の回転ピッチに相等し、
本体の止めリブ及び係止ブロックによりスリーブの係合歯及び弾性部材が開閉の制御によって相互に発生させる弾性圧力及び弾力によりスリーブを往復回転させて開閉を制御させ、
係止ブロックが係合歯の他側まで回転されて相互に係止させ、同期で確実な定位効果を発生させることを特徴とする、
園芸用水道ホース継手の構成。
【請求項２】
本体は係止ブロックの下方に対応するように縦方向に片状を呈する位置限定ブロックが設置され、且つ保持部材を内設させるための若干のキャッチ孔部が周設され、前記キャッチ孔部は止めリブの下方に位置すると共に位置限定ブロックより高く、前記位置限定ブロックは対になるキャッチ孔部の間に位置し、且つ適切な位置箇所に制動ブロックが設置され、前記制動ブロックは位置限定ブロックとキャッチ孔部との間に位置し、スリーブの内壁は本体のキャッチ孔部に対応させる位置にリブで構成される案内区が周設されて保持部材に当接され、制動ブロックに対応させる位置には１つまたは１つ以上の止めブロックが設置され、前記止めブロックは細長い形状を呈すると共に制動ブロックの上方に位置し、止めブロックはスリーブの回転に従って制動ブロックを避け、止めブロックの一側には止め面が設けられて位置限定空間が形成され、位置限定ブロックが位置限定空間内に位置してスリーブに従って往復回転を行って移動し、制動ブロック及び止め面により制限されることを特徴とする請求項１に記載の園芸用水道ホース継手の構成。
【請求項３】
本体の中段箇所には受座が設置され、スリーブの内壁にはリングシートが設置され、弾性部材が受座とリングシートとの間に定位するように当接されることを特徴とする請求項１に記載の園芸用水道ホース継手の構成。
【請求項４】
弾性部材はばねとして設置されることを特徴とする請求項１に記載の園芸用水道ホース継手の構成。
【請求項５】
本体の係止ブロックは凸点形状を呈するように設置されることを特徴とする請求項１に記載の園芸用水道ホース継手の構成。
【請求項６】
本体の位置限定ブロックは縦方向の片状を呈するように設置されることを特徴とする請求項２に記載の園芸用水道ホース継手の構成。
【請求項７】
本体の制動ブロックは凸点形状を呈するように設置され、スリーブの止めブロックは細長い形状に設置されることを特徴とする請求項２に記載の園芸用水道ホース継手の構成。
【請求項８】
保持部材を有する本体の一端には弾性部材及び係合歯を有するスリーブが覆設され、前記弾性部材は本体とスリーブとの間に装設されて相互に弾力で支持し合っての定位が形成され、前記スリーブは本体に沿って往復回転を行い、弾性部材が圧下されて水道ホース継手の開閉が制御され、本体の保持部材はスリーブに従って弾性部材を圧下させるか弾性部材の弾性による当接を受けて解放または咬合を達成させることによりスプレーガンまたはスプリンクラー等の水道装置に連結されるか、或いは前記水道装置から脱離される園芸用水道ホース継手の構成であって、
本体には１つまたは１つ以上の制動ブロックが設置され、
スリーブの内壁には制動ブロックに対応させる位置に止めブロックが設置され、
前記止めブロックは制動ブロックの上方に位置して相互に係止し合ってスリーブを閉鎖位置に確実に保持させて圧下不能状態にし、
スリーブが開放の方向に回転を行うと、止めブロックが回転されて本体の制動ブロックから外れ、
スリーブにより弾性部材が圧下されると、保持部材を解放させ、水道装置を連結または脱離させることを特徴とする、
園芸用水道ホース継手の構成。
【請求項９】
本体の一端には止めリブが設置され、スリーブの係合歯は弾性部材による弾性推力を受けて本体の止めリブに当接され、止めリブの下方には１つまたは１つ以上の係止ブロックが設置されて何れか１つのスリーブの係合歯の一側に位置し、前記係合歯の幅はスリーブの開閉の回転ピッチに相等することを特徴とする請求項８に記載の制限園芸用水道ホース継手の構成。
【請求項１０】
本体の中段箇所には受座が設置され、スリーブの内壁にはリングシートが設置され、弾性部材が受座とリングシートとの間に定位するように当接されることを特徴とする請求項８に記載の制限園芸用水道ホース継手の構成。
【請求項１１】
弾性部材はばねとして設置されることを特徴とする請求項８に記載の制限園芸用水道ホース継手の構成。
【請求項１２】
本体の制動ブロックは凸点形状を呈するように設置され、スリーブの止めブロックは細長い形状に設置されることを特徴とする請求項８に記載の制限園芸用水道ホース継手の構成。
【請求項１３】
保持部材を有する本体の一端に弾性部材及び係合歯を有するスリーブが覆設され、前記弾性部材は本体とスリーブとの間に装設されて相互に弾力で支持し合っての定位が形成され、前記スリーブは本体に沿って往復回転を行い、弾性部材が圧下されて水道ホース継手の開閉が制御され、本体の保持部材がスリーブに従って弾性部材を圧下させるか弾性部材の弾性による当接を受けて解放または咬合を達成させることによりスプレーガン或いはスプリンクラー等の水道装置に連結されるか、或いは前記水道装置から脱離される園芸用水道ホース継手の構成であって、
本体には止めリブが設置され、
スリーブの係合歯は弾性部材の弾性推力を受けて本体の止めリブに当接され、
止めリブの下方には１つまたは１つ以上の係止ブロックが設置されて何れか１つのスリーブの係合歯の一側に位置し、
前記係合歯の幅はスリーブの開閉の回転ピッチに相等し、
スリーブがスムーズに往復回転を行って開閉を制御し、
係止ブロックが同期して係合歯の一側から他側まで回転して確実な定位効果を発生させ、
前記本体には１つまたは１つ以上の制動ブロックが設置され、
スリーブの内壁には制動ブロックに対応する位置に止めブロックが設置され、
前記止めブロックは制動ブロックの上方に位置して相互に係止させることによりスリーブを閉鎖位置に確実に保持させて圧下不能状態にし、
スリーブが開放方向に回転を行うと、止めブロックが回転されて本体の制動ブロックから外れ、
スリーブにより弾性部材が圧下されると保持部材を解放させ、水道装置を連結または脱離させることを特徴とする、
園芸用水道ホース継手の構成。
【請求項１４】
本体の中段箇には受座が設置され、スリーブの内壁にはリングシートが設置され、弾性部材が受座とリングシートとの間に定位するように当接されることを特徴とする請求項１３に記載の園芸用水道ホース継手の構成。
【請求項１５】
弾性部材はばねとして設置されることを特徴とする請求項１３に記載の園芸用水道ホース継手の構成。
【請求項１６】
本体の制動ブロックは凸点形状を呈するように設置され、スリーブの止めブロックは細長い形状に設置されることを特徴とする請求項１３に記載の園芸用水道ホース継手の構成。
【考案の詳細な説明】
【技術分野】
【０００１】
本考案は、スプレーガン、スプリンクラーまたはホース等の各種散水装置を相互に連結させるために使用される園芸用水道ホース継手の構成に関する。
【背景技術】
【０００２】
よく知られている従来の水道ホース継手構造は、一般的に市場で見受けられる水道装置の連結用の水道ホース継手（特許文献１乃至特許文献４参照）を示すと、開閉操作はスリーブが往復して左右に回転を行う方式で継手の開閉が制御されている。
【先行技術文献】
【特許文献】
【０００３】
【特許文献１】台湾実用新案第２６０２３８号明細書
【特許文献２】台湾実用新案第５３２４４２号明細書
【特許文献３】台湾特許出願第１３１９０７２号明細書
【特許文献４】米国特許出願第７０２１６６９号明細書
【考案の概要】
【考案が解決しようとする課題】
【０００４】
前述した従来の技術では、スリーブが持続的に一側に向けて回転し、回転が止められると前記継手の開閉位置が確定し、またはスリーブを圧下させる方式により圧下されているかいないかによって前記継手の開閉位置を判断して使用し、且つ消費者が開閉操作を行う上で確実な定位を即時迅速に確認可能にする利便性を提供する。
また、特許文献４に示すようなスリーブにはＬ字型の凹部３５のみが設けられ、スリーブの止めリブ２０が操作されて開放または閉鎖位置まで回転すると、前記止めリブ２０は止められることなく凹部３５の止め面３９内で滑動を行って確実に定位しなくなるので、操作の上で不便であった。
【０００５】
そこで、本考案者は上記の欠点が改善可能と考え、鋭意検討を重ねた結果、合理的設計で上記の課題を効果的に改善する本考案の提案に到った。
【０００６】
本考案はこうした状況に鑑みてなされたものであり、その目的は、園芸用水道ホース継手の構成を提供することである。
【課題を解決するための手段】
【０００７】
上述した課題を解決し、目的を達成するための本考案に係る園芸用水道ホース継手の構成の特徴は、本体の止めリブ及び係止ブロックによりスリーブの係合歯及び弾性部材が開閉の制御によって相互に発生させる弾性圧力及び弾力によりスリーブをスムーズに往復回転させて開閉を制御させるほか、係止ブロックが係合歯の一側から他側まで回転を行うと、係合歯は弾性部材の弾力を受けて本体の止めリブに衝突し、係止ブロックが係合歯の他側まで回転を行って同期で確実な定位効果を発生させる。消費者が係止ブロック及び係合歯を即時迅速に係止させることが可能な設計により開閉及び確実な定位を容易に確認できる利便性を達成させる。
【図面の簡単な説明】
【０００８】
【図１】本考案を説明する分解図である。
【図２】本考案を説明する組立図である。
【図３】本考案を説明する組立の断面図である。
【図４】本考案のスリーブを説明する断面図である。
【図５】本考案のスリーブが閉鎖の方向に回転する断面図である。
【図６】本考案の係止ブロックが係合歯の一側に位置する一部拡大図である。
【図７】本考案のスリーブの止めブロックが一側に向かって本体の制動ブロックの位置を回転させる断面図である。
【図８】本考案の止めブロックを係合歯の上面に動作させる概略図である。
【図９】本考案のスリーブが開放の方向に回転し押させる動作の断面図である。
【図１０】本考案の係止ブロックが係合歯の他側に位置する一部拡大図である。
【考案を実施するための形態】
【０００９】
以下、図面を参照して、本考案を実施するための形態について、詳細に説明する。なお、本考案は、以下に説明する実施形態に限定されるものではない。
【実施例】
【００１０】
図１乃至図３に示されるように、本考案の水道ホース継手は、保持部材１０１を有する本体１０の一端にロックスリーブ２０がロックされて水道管が堅固に連結され、他端には弾性部材３０及びスリーブ４０が順に覆設され、前記スリーブ４０及び弾性部材３０が相互に弾力で支持し合う状態が形成されて本体１０に定位されるよう装設される。
スリーブ４０は本体１０に沿って往復回転を行い、弾性部材３０が圧下されることにより前記水道ホース継手の開閉が制御され、本体１０の保持部材１０１がスリーブ４０に従って弾性部材３０を圧下させるか弾性部材３０の弾性による当接を受けて解放または咬合を達成させることによりスプレーガン或いはスプリンクラー等の水道装置に連結されるか、或いは水道装置から脱離される。
本体１０の一端には若干の可撓性歯部１１及びスレッド段１２が周設されてロックスリーブ２０がロックされ、本体１０の他端には止めリブ１３が設置され、止めリブ１３の下方には凸点形状を呈する１つまたは１つ以上の係止ブロック１４が設置される。係止ブロック１４の下方には対応するように縦方向に片状を呈する位置限定ブロック１５が設置され、且つ保持部材１０１を内設させるための若干のキャッチ孔部１６が周設される。前記キャッチ孔部１６は止めリブ１３の下方に位置すると共に位置限定ブロック１５より高く、前記位置限定ブロック１５は対になるキャッチ孔部１６の間に位置し、且つ適切な位置に凸点形状を呈する制動ブロック１７が設置される。前記制動ブロック１７は位置限定ブロック１５とキャッチ孔部１６との間に位置し、本体１０の中段箇所には弾性部材３０の一側が当接させる受座１８が設置される。
前記弾性部材３０はばねとして設置され、スリーブ４０（図４参照）の内壁の中段箇所には弾性部材３０の他側に圧接されるリングシート４１が設置され、且つ本体１０のキャッチ孔部１６に対応させる位置にはリブで構成される案内区４２が周設されて保持部材１０１に当接される。対になる案内区４２の間には間隔を空けて設置される若干の係合歯４３が凸設されると共に弾性部材３０の弾性推力を受けて本体１０の止めリブ１３に当接され、且つ本体１０の係止ブロック１４は何れか１つの係合歯４３の一側に位置し、弾性部材３０がスリーブ４０のリングシート４１及び本体１０の受座１８に位置して相互に弾性で支持させることにより定位させる。
スリーブ４０の内壁には制動ブロック１７に対応する位置に１つまたは１つ以上の止めブロック４４が設置される。前記止めブロック４４は細長い形状に設置されると共に制動ブロック１７の上方に位置し、止めブロック４４がスリーブ４０の回転に従って制動ブロック１７を避ける。止めブロック４４の一側には止め面４５が設けられて位置限定空間４６が形成され、位置限定ブロック１５が位置限定空間４６内に位置すると共にスリーブ４０に連れて往復回転を行って移動し、止めブロック４４及び止め面４５による制限を受ける。前記係合歯４３の幅はスリーブ４０の開閉の回転ピッチに相等する。
【００１１】
図５に示されるように、前記スリーブ４０が閉鎖位置にある場合、スリーブ４０の止めブロック４４が本体１０の制動ブロック１７の上方に位置して相互の係止を発生させ、スリーブ４０が圧下不能に確実に保持され、且つ弾性部材３０の弾力を受けて係合歯４３が止めリブ１３に当着される。この際、係止ブロック１４が係合歯４３の一側に位置し（図６参照）、本体１０の位置限定ブロック１５がスリーブ４０の止め面４５に当着され、保持部材１０１が案内区４２の当接を受けてスプレーガンまたはスプリンクラー等の各水道装置のノズルに確実に連結されると共に固定されて緩まなくなる。スリーブ４０が開放の方向に回転を行うと（図７及び図８参照）、止めブロック４４が制動ブロック１７から離れるように回転され、スリーブが弾性部材を圧下させる。
【００１２】
また、係止ブロック１４及び係合歯４３がスリーブ４０の回転力により押されると弾性部材３０が圧下され、係合歯４３が下に移動し、止めリブ１３が脱離されて係止ブロック１４に沿って回転移動を続ける。係止ブロック１４が係合歯４３の上方から他側（図９参照）まで回転移動させると、係合歯４３が係止ブロック１４の圧接を瞬時に失うと共に弾性部材３０の弾力を受けて上に向けて止めリブ１３及び係止ブロック１４に衝突し、係合歯の他側まで回転移動を行って同期で確実な定位効果を発生させる。消費者は係止ブロック１４及び係合歯４３を即時迅速に相互に係止させることが可能な設計により、開閉及び確実な定位を容易に確認できる利便性が得られる。
また、位置限定ブロック１５も止めブロック４４に当着されて係止されることによりスリーブ４０が開放位置に確実に保持され、スリーブ４０（図１０参照）及び弾性部材３０が圧下されて本体１０の保持部材１０１が案内区４２への当接を脱離させ、操作者がノズルを着脱可能になる。これにより、前記水道ホース継手は本体１０の止めリブ１３及び係止ブロック１４を利用し、スリーブ４０の係合歯４３及び弾性部材３０が開閉の制御によって相互に発生させる弾性圧力及び弾力が操作に影響を与えず、スムーズに回転を行うと共に同期で定位されて最良の使用状態を達成させる。
【００１３】
以上、本考案の実施形態について図面を参照して詳述したが、具体的な構成はこの実施形態に限られるものではなく、本考案の要旨を逸脱しない範囲の設計変更等も含まれる。
【符号の説明】
【００１４】
１０  本体
１０１  保持部材
１１  可撓性歯部
１２  スレッド段
１３  止めリブ
１４  係止ブロック
１５  位置限定ブロック
１６  キャッチ孔部
１７  制動ブロック
１８  受座
２０  ロックスリーブ
３０  弾性部材
４０  スリーブ
４１  リングシート
４２  案内区
４３  係合歯
４４  止めブロック
４５  止め面
４６  位置限定空間
【図１】
0003216484.tif 000003
【図２】
0003216484.tif 000004
【図３】
0003216484.tif 000005
【図４】
0003216484.tif 000006
【図５】
0003216484.tif 000007
【図６】
0003216484.tif 000008
【図７】
0003216484.tif 000009
【図８】
0003216484.tif 000010
【図９】
0003216484.tif 000011
【図１０】
0003216484.tif 000012